(57)【要約】【課題】分配配管の長さと配管曲げ数とが非対称となる分割台数であっても、各単位ゲートが同調して起伏動作するように工夫した起伏ゲートを提供する。【解決手段】水路１に、扉体２とアクチュエータ３とが複数台に分割して設置されている。主配管５に対して各分配配管１３−１，１３−２，１３−３の長さと配管曲げ数とが非対称となる分割台数であるときに、径間の中央付近に、流体分配ボックス１２を設置し、この流体分配ボックス１２と単位ゲート１０−１，１０−２，１０−３の各アクチュエータ３とを分配配管１３−１，１３−２，１３−３でそれぞれ接続し、各分配配管１３−１，１３−２，１３−３は、配管長さと配管曲げ数とを揃えるように設定している。【選択図】図１
0003180179.tif 000002
【実用新案登録請求の範囲】
【請求項１】
水路の底部で、上流側の起立位置と下流側の倒伏位置との間で回動可能にヒンジ結合された扉体と、この扉体の下流側に設置されたアクチュエータとが設けられて、流体の供給によるアクチュエータの起立駆動で扉体が起立方向に回動されるとともに、流体の排出によるアクチュエータの倒伏駆動で扉体が倒伏方向に回動されるようになった起伏ゲートにおいて、
前記水路には、前記扉体とアクチュエータとが複数台に分割して設置され、
この分割された単位ゲートの各アクチュエータに、流体源の流体を主配管から分配配管を介して流体が供給されるようにし、
前記主配管に対して前記各分配配管の長さと配管曲げ数とが非対称となる分割台数であるときに、径間の中央付近に、前記主配管が接続されて前記流体の圧力変動を抑制する流体分配ボックスが設置され、この流体分配ボックスと前記単位ゲートの各アクチュエータとが前記分配配管でそれぞれ接続され、
前記各分配配管は、配管長さと配管曲げ数とを揃えるように設定されていることを特徴とする起伏ゲート。
【請求項２】
水路の底部で、上流側の起立位置と下流側の倒伏位置との間で回動可能にヒンジ結合された扉体と、この扉体の下流側に設置された袋体とが設けられて、流体の供給による袋体の起立膨張で扉体が起立方向に回動されるとともに、流体の排出による袋体の倒伏収縮で扉体が倒伏方向に回動されるようになった起伏ゲートにおいて、
前記水路には、前記扉体と袋体とが複数台に分割して設置され、
この分割された単位ゲートの各袋体に、流体源の流体を主配管から分配配管を介して流体が供給されるようにし、
前記主配管に対して前記各分配配管の長さと配管曲げ数とが非対称となる分割台数であるときに、径間の中央付近に、前記主配管が接続されて前記流体の圧力変動を抑制する流体分配ボックスが設置され、この流体分配ボックスと前記単位ゲートの各袋体とが前記分配配管でそれぞれ接続され、
前記各分配配管は、配管長さと配管曲げ数とを揃えるように設定されていることを特徴とする起伏ゲート。
【請求項３】
前記流体分配ボックスに接続された前記主配管は、流体分配ボックスの下部に接続されていることを特徴とする請求項１または２に記載の起伏ゲート。
【考案の詳細な説明】
【技術分野】
【０００１】
本考案は、起伏ゲートに関する。
【背景技術】
【０００２】
従来、図６に示すように、水路１の底部で、上流側の起立位置Ｕと下流側の倒伏位置Ｄとの間で回動可能にヒンジ結合された扉体２と、この扉体２の下流側に設置された袋体３とが設けられて、流体の供給による袋体３の膨張で扉体２が起立方向に回動されるとともに、流体の排出による袋体３の収縮で扉体２が倒伏方向に回動されるようになった起伏ゲート４がある（特許文献１参照）。
【０００３】
ところで、水路１の幅が広い（例えば数十ｍ）場合、扉体２と袋体３とが１台だけでは、製造上や輸送上の理由から対応できないことがある。そのため、幅の広い水路１には、扉体２と袋体３とを複数台に分割して設置するようになっている。
【０００４】
図７（ａ）は、２台に分割した設置例、同様に（ｂ）は３台に分割した設置例、（ｃ）は４台に分割した設置例、（ｄ）は５台に分割した設置例、（ｅ）６台に分割した設置例、（ｆ）７台に分割した設置例、（ｇ）８台に分割した設置例である。なお、９台以上に分割することもあり得る。
【０００５】
そして、図７（ａ）の２台分割、（ｃ）の４台分割、（ｇ）の８台分割の場合以外では、分割された各単位ゲート４−１〜４−８の径間の中央付近に、流体源から主配管５で供給される流体の圧力変動を抑制する流体分配ボックス６を設置して、この流体分配ボックス６と各単位ゲート４−１〜４−８の各袋体３とを分配配管７でそれぞれ接続するようになっている。なお、図７（ａ）の２台分割、（ｃ）の４台分割、（ｇ）の８台分割の場合でも、分割された各単位ゲート４−１〜４−８の径間の中央付近に、流体源から主配管５で供給される流体の圧力変動を抑制する流体分配ボックス６を設置することもできる。
【０００６】
ところで、図７（ａ）の２台分割、（ｃ）の４台分割、（ｇ）の８台分割の場合には、各単位ゲート４−１〜４−８は、主配管５に対して各分配配管７の長さと配管曲げ数（エルボ数）とが対称となる分割台数となる。したがって、主配管５から各単位ゲート４−１〜４−８までの流体の配管損失が同じとなるので、各単位ゲート４−１〜４−８が同調（同期）して起伏動作するようになる。
【先行技術文献】
【特許文献】
【０００７】
【特許文献１】特開２００５−７６２７７号公報
【考案の概要】
【考案が解決しようとする課題】
【０００８】
しかしながら、図７（ｂ）の３台分割、（ｄ）の５台分割、（ｅ）の６台分割、（ｆ）の７台分割の場合には、各単位ゲート４−１〜４−８は、流体分配ボックス６に対して各分配配管７の長さと配管曲げ数（エルボ数）とが非対称となる分割台数となる。したがって、流体分配ボックス６から各単位ゲート４−１〜４−８までの流体の配管損失が同じとならないので、各単位ゲート４−１〜４−８が同調（同期）して起伏動作しなくなるという問題があった。
【０００９】
本考案は、前記問題を解消するためになされたもので、分配配管の長さと配管曲げ数とが非対称となる分割台数であっても、各単位ゲートが同調して起伏動作するように工夫した起伏ゲートを提供することを目的とするものである。
【課題を解決するための手段】
【００１０】
前記課題を解決するために、本考案の第１の手段は、  水路の底部で、上流側の起立位置と下流側の倒伏位置との間で回動可能にヒンジ結合された扉体と、この扉体の下流側に設置されたアクチュエータとが設けられて、流体の供給によるアクチュエータの起立駆動で扉体が起立方向に回動されるとともに、流体の排出によるアクチュエータの倒伏駆動で扉体が倒伏方向に回動されるようになった起伏ゲートにおいて、前記水路には、前記扉体とアクチュエータとが複数台に分割して設置され、この分割された単位ゲートの各アクチュエータに、流体源の流体を主配管から分配配管を介して流体が供給されるようにし、前記主配管に対して前記各分配配管の長さと配管曲げ数とが非対称となる分割台数であるときに、径間の中央付近に、前記主配管が接続されて前記流体の圧力変動を抑制する流体分配ボックスが設置され、この流体分配ボックスと前記単位ゲートの各アクチュエータとが前記分配配管でそれぞれ接続され、前記各分配配管は、配管長さと配管曲げ数とを揃えるように設定されていることを特徴とする起伏ゲートを提供するものである。
【００１１】
また、本考案の第２の手段は、水路の底部で、上流側の起立位置と下流側の倒伏位置との間で回動可能にヒンジ結合された扉体と、この扉体の下流側に設置された袋体とが設けられて、流体の供給による袋体の起立膨張で扉体が起立方向に回動されるとともに、流体の排出による袋体の倒伏収縮で扉体が倒伏方向に回動されるようになった起伏ゲートにおいて、前記水路には、前記扉体と袋体とが複数台に分割して設置され、この分割された単位ゲートの各袋体に、流体源の流体を主配管から分配配管を介して流体が供給されるようにし、前記主配管に対して前記各分配配管の長さと配管曲げ数とが非対称となる分割台数であるときに、径間の中央付近に、前記主配管が接続されて前記流体の圧力変動を抑制する流体分配ボックスが設置され、この流体分配ボックスと前記単位ゲートの各袋体とが前記分配配管でそれぞれ接続され、前記各分配配管は、配管長さと配管曲げ数とを揃えるように設定されていることを特徴とする起伏ゲートを提供するものである。
【００１２】
本考案の第１および第２の手段によれば、主配管に対して各分配配管の長さと配管曲げ数とが非対称となる分割台数であるときには、径間の中央付近に流体分配ボックスを設置し、各分配配管は、配管長さと配管曲げ数とを揃えるように設定する。これにより、流体分配ボックスから各単位ゲートまでの流体の配管損失が同じとなり、各単位ゲートに供給される空気の圧力が同値となるために、各単位ゲートが同調（同期）して起伏動作するようになる。
【００１３】
また、各分配配管は、配管長さと配管曲げ数とを揃えるように設定するだけであるから、配管損失を同じとする特殊な装置が不要であり、コストも安価になる。
【００１４】
前記流体分配ボックスに接続された前記主配管は、流体分配ボックスの下部に接続されている構成とすることができる。
【００１５】
この構成によれば、結露等によって流体分配ボックス内の下部にドレン水が溜まった場合、ドレン水は、流体排出時の圧力で主配管からボックス外部に排出されるようになる。因みに、主配管が流体分配ボックスの上部に接続されていると、流体分配ボックス内の下部にドレン水が溜まり、溜まったドレン水で流体分配ボックス内の容積が減少するので、流体分配ボックスによる流体の整流機能が果たせなくなるという不具合が生じる。
【考案の効果】
【００１６】
本考案によれば、分配配管の長さと配管曲げ数とが非対称となる分割台数であっても、各単位ゲートが同調して起伏動作するようになる。
【図面の簡単な説明】
【００１７】
【図１】本考案の実施形態の扉体と袋体の３台分割の起伏ゲートの背面略画図である。
【図２】図１の扉体と袋体の３台分割の背面側から見た起伏ゲートの斜視図である。
【図３】流体分配ボックスであり、（ａ）は側面断面図、（ｂ）は平面断面図である。
【図４】主配管を上部に接続した流体分配ボックスの側面断面図である。
【図５】本考案の別実施形態の起伏ゲートであり、（ａ）は起立位置の側面図、（ｂ）は倒伏位置の側面図である。
【図６】背景技術の起伏ゲートの側面断面図である。
【図７】（ａ）〜（ｇ）は、それぞれ扉体と袋体の複数台分割の略画説明図である。
【考案を実施するための形態】
【００１８】
以下、本考案を実施するための形態について、図面を参照しながら詳細に説明する。なお、背景技術と同一構成・作用の箇所は、同一番号を付して詳細な説明を省略する。
【００１９】
図１は、扉体２と袋体３とを３台に分割した起伏ゲート１０の背面略画図、図２は、図１の３台分割の背面側から見た起伏ゲート１０の斜視図である。
【００２０】
起伏ゲート１０は、水路１の底部で、上流側の起立位置Ｕと下流側の倒伏位置Ｄとの間で回動可能にヒンジ結合された扉体２と、この扉体２の下流側に設置された袋体３とが設けられている。そして、流体の供給による袋体３の膨張で扉体２が起立方向に回動されるとともに、流体の排出による袋体３の収縮で扉体２が倒伏方向に回動されるようになっている。
【００２１】
水路１には、扉体２と袋体３とが３台に分割して設置され、この分割された各単位ゲート１０−１，１０−２，１０−３の径間（長さ）方向の中央付近に、流体源（エアーコンプレッサ）１１から主配管５で供給される流体（エアー）の圧力変動を抑制する流体分配ボックス１２が設置されている。
【００２２】
この流体分配ボックス１２と各単位ゲート１０−１，１０−２，１０−３の各袋体３の接続口３ａ，３ｂ，３ｃとが分配配管１３−１，１３−２，１３−３でそれぞれ接続されている。
【００２３】
このように、扉体２と袋体３とが３台に分割して設置されている場合は、主配管（流体分配ボックス１２）５に対し各単位ゲート１０−１，１０−２，１０−３の長さと配管曲げ数（エルボ数）とが非対称となる分割台数である。
【００２４】
すなわち、図１のように、流体分配ボックス１２に対して左端の単位ゲート１０−１と右端の単位ゲート１０−３とは、分配配管１３−１，１３−３の長さと配管曲げ数（図１では３回曲げで図示されている。）とは対称である。
【００２５】
しかし、中央の単位ゲート１０−２は、左端の単位ゲート１０−１と右端の単位ゲート１０−３とは非対称である。したがって、分配配管１３−２の長さは、分配配管１３−１，１３−３と同じに設定することは可能であるが、配管曲げ数（図１では４回曲げで図示されている。）は分配配管１３−１，１３−３と同じに設定することができない。
【００２６】
そこで、図２に詳細に示したように、分配配管１３−１，１３−２，１３−３は、配管長さと配管曲げ数とを揃えるように設定する。
【００２７】
具体的には、流体分配ボックス１２に対して左端の単位ゲート１０−１と右端の単位ゲート１０−３とは、分配配管１３−１，１３−３の長さと配管曲げ数（図２では符号１−５のように、５回曲げで図示されている。）とは対称である。
【００２８】
また、中央の単位ゲート１０−２は、左端の単位ゲート１０−１と右端の単位ゲート１０−３とは非対称であるが、分配配管１３−２の長さは、分配配管１３−１，１３−３と同じに設定するとともに、配管曲げ数（図２では符号１−５のように、５回曲げで図示されている。）は分配配管１３−１，１３−３と同じに設定している。なお、曲げ部分にはエルボが使用されている。
【００２９】
前記のように起伏ゲート１０を構成すれば、主配管（流体分配ボックス１２）５に対して各分配配管１３−１，１３−２，１３−３の長さと配管曲げ数とが非対称となる分割台数であるときでも、各分配配管１３−１，１３−２，１３−３は、配管長さと配管曲げ数（エルボ数）とを揃えるように設定する。
【００３０】
これにより、流体分配ボックス１２から各単位ゲート１０−１，１０−２，１０−３までの流体の配管損失が同じとなり、各単位ゲート１０−１，１０−２，１０−３に供給される空気の圧力が同値となるために、各単位ゲート１０−１，１０−２，１０−３が同調（同期）して起伏動作するようになる。
【００３１】
また、各分配配管１３−１，１３−２，１３−３は、配管長さと配管曲げ数（エルボ数）とを揃えるように設定するだけであるから、配管損失を同じとする特殊な装置が不要であり、コストも安価になる。
【００３２】
前記実施形態は、前述した図７（ｂ）に相当する３台分割の場合であったが、図７（ｄ）の５台分割、図７（ｅ）の６台分割、図７（ｆ）の７台分割の場合であっても、各分配配管は、配管長さと配管曲げ数（エルボ数）とを揃えるように設定すればよい。なお、９台分割以上で非対称となる分割台数であるときでも同様に設定すればよい。
【００３３】
一方、流体分配ボックス１２に接続された主配管５は、図３（ａ）（ｂ）のように、流体分配ボックス１２の下部に接続されている。
【００３４】
また、各分配配管１３−１，１３−２，１３−３も、流体分配ボックスの下部に接続されている。なお、各分配配管１３−１，１３−２，１３−３は、流体分配ボックス１２の上部に接続しても差し支えない。
【００３５】
このように、主配管５は流体分配ボックス１２の下部に接続した理由は、結露等によって流体分配ボックス１２内の下部にドレン水が溜まった場合、ドレン水は、流体排出時の圧力で主配管５から流体分配ボックス１２の外部に排出され、図１の結露排出装置１５によって大気中に排出されるようになる。
【００３６】
因みに、図４のように、主配管５が流体分配ボックス１２の上部に接続されていると、流体分配ボックス１２内の下部にドレン水１７が溜まり、溜まったドレン水１７で流体分配ボックス１２内の容積が減少するので、流体分配ボックス１２による流体の整流機能が果たせなくなるという不具合が生じる。
【００３７】
前記実施形態では、アクチュエータとして袋体３を用いたが、図５（ａ）（ｂ）のように、流体圧（油圧や空圧）シリンダー２０を用いたものにも適用できることは言うまでもない。
【符号の説明】
【００３８】
１    水路
２    扉体
３    袋体（アクチュエータ）
５    主配管
１０  起伏ゲート
１０−１，１０−２，１０−３  単位ゲート
１１  流体源
１２  流体分配ボックス
１３−１，１３−２，１３−３  分配配管
２０  流体圧シリンダー（アクチュエータ）
Ｄ    倒伏位置
Ｕ    起立位置
【図１】
0003180179.tif 000003
【図２】
0003180179.tif 000004
【図３】
0003180179.tif 000005
【図４】
0003180179.tif 000006
【図５】
0003180179.tif 000007
【図６】
0003180179.tif 000008
【図７】
0003180179.tif 000009